(57)【要約】【課題】ウォッシャ液を加熱するウォッシャ液加熱装置の流路中でウォッシャ液が凍結した場合、流路を形成するケースが破損してしまうことを防止することができるウォッシャ液供給装置を提供する。【解決手段】ウォッシャ液加熱装置５０における流路５０８内の圧力が増大したときに、流路５０８の容積を増加させる容積調整機構５１２を設け、ウォッシャ液が凍結して体積を増加させても流路５０８内の圧力上昇を吸収する。容積調整機構５１２は、例えば、流路５０８の壁に形成した開口５１１と、開口５１１を塞ぐように設けられ流路内の圧力増大によって外方に偏倚する偏倚板（ベロフラム４１４）とから構成されている。【選択図】図３
2010184525.tif 000002
【特許請求の範囲】
【請求項１】
ウォッシャ液タンクからウォッシャ液ポンプによってウォッシャ液ノズルに送られるウォッシャ液の流路中に設けられ、該ウォッシャ液を加熱するためのウォッシャ液加熱装置において、
前記ウォッシャ液が通過する流路内の圧力が増大したときに該流路の容積を増加させる容積調整手段を設けてなることを特徴とするウォッシャ液加熱装置。
【請求項２】
前記容積調整手段は、前記流路の壁に形成した開口と、該開口を塞ぐように設けられ該流路内の圧力増大によって外方に偏倚する偏倚板とから構成されていることを特徴とする請求項１に記載のウォッシャ液加熱装置。
【請求項３】
前記容積調整手段は、前記偏倚板の表面に対向して該偏倚板の偏倚を検出する検出手段を有していることを特徴とする請求項２に記載のウォッシャ液供給装置。
【請求項４】
前記容積調整手段は、前記流路内の増大する圧力によって収縮する収縮体から構成されていることを特徴とする請求項１に記載のウォッシャ液加熱装置。
【請求項５】
前記ウォッシャ液加熱装置は、前記流路を形成する熱伝導率の高い材料からなるケースと、該ケースの表面に接して設けた電力供給によって発熱するヒータと、該ケースの表面に接して設けた該ヒータに供給する電力制御用の制御用素子と、該ヒータと制御用素子とを挟んで該ケース表面に設けた回路基板と、該回路基板上に搭載された該制御用素子を制御する制御回路部とを備えていることを特徴とする請求項１ないし請求項４のいずれか１項に記載のウォッシャ液加熱装置。
【発明の詳細な説明】
【技術分野】
【０００１】
本発明は、例えば自動車のフロントウィンドウガラスを洗浄するためにウィンドウガラス洗浄用のウォッシャ液をフロントウィンドウガラスに供給するウォッシャ液供給装置に関し、特に、フロントウィンドウガラスの凍結状態を解凍するためにウォッシャ液を急速に加熱するためのウォッシャ液加熱装置に関するものである。
【背景技術】
【０００２】
近年、自動車等におけるウィンドウ洗浄装置は、フロントウィンドウガラスの冬季の霜、着氷を溶解し洗浄するために暖かいウィンドウウォッシャ液を用いたものが知られている。このウォッシャ液を加熱する方法としては、例えば、下記の特許文献１（特表２００３−５２０１５１号公報）で示すように、エンジンの排気系の予熱によってウォッシャ液を加熱するだけでなく、短時間で加熱するウォッシャ液加熱装置が提案されている。これは容器内に電池によって作動する加熱素子を設け容器内のウォッシャ液を加熱するものである。そして、加熱されたウォッシャ液を一定量だけガラスに噴射するものである。このような急速加熱装置を適用した自動車等は、エンジンをアイドリングする必要がないため排気ガスの軽減を図ることができる。
【０００３】
また、従来の他の例としては、下記の特許文献２（特開平１０−２７８７４６号公報）で示す急速加熱装置を設けたものが提案されている。この急速加熱装置は、ウォッシャ液管路中にバッテリからの電力供給によって発熱する面発熱体と、面発熱体にそって蛇行して配された蛇行管路とからなる。そして、ウォッシャ液は面発熱体に通電することにより急速に加熱される。この加熱されたウォッシャ液は、ウォッシャポンプを作動させることによりウォッシャノズルからフロントウィンドウガラスに向けて噴出され、フロントウィンドウガラスの霜、着氷を急速に溶解するものである。このように蛇行管路内を面発熱体で加熱する構成の急速加熱装置はウォッシャ液を効率よく加熱することができる利点を有するものである。
【０００４】
一方、面加熱体としては、例えば、下記の特許文献３（米国特許第５，３５４，９６５号明細書）で示すように長寿命であり制御が容易などの利点を有するＰＴＣ（ｐｏｓｉｔｉｖｅ  ｔｅｍｐｅｒａｔｕｒｅ  ｃｏｅｆｆｉｃｉｅｎｔ）サーミスターが用いられている。そして、このＰＴＣサーミスターへの通電の制御は半導体からなる制御回路によって行なっている。このＰＴＣサーミスターに供給する電力を制御するためにはＦＥＴが直列に接続されて用いられている。そのため、ＦＥＴは高温になるので放熱を考慮する必要性からウォッシャ液流路を形成する容器の外壁に直接に設けている。
【先行技術文献】
【特許文献】
【０００５】
【特許文献１】特表２００３−５２０１５１号公報（段落［００２２］〜段落［００２４］、図２）
【特許文献２】特開平１０−２７８７４６号公報（段落［００２５］〜段落［００２９］、段落［００４７］〜段落［００５１］、図４）
【特許文献３】米国特許第５，３５４，９６５号明細書（第１０欄４１行〜４３行、第１７欄２１行〜２４行、ＦＩＧ８、ＦＩＧ１１）
【発明の概要】
【発明が解決しようとする課題】
【０００６】
しかしながら、上記特許文献１〜３に開示された加熱されたウォッシャ液を供給するウォッシャ液供給装置は、冬季に寒冷地において不使用状態にあるときにウォッシャ液が凍結してしまうことがある。凍結したウォッシャ液はその体積を増加させるが、合成樹脂材からなる可撓性の管路は大きな問題を生じない。しかし、加熱装置における金属製のケース内に蛇行して形成された流路では、凍結したウォッシャ液が流路内壁に大きな圧力を加える。特に、この凍結、解凍状態が繰り返されると金属疲労を生じてケース自体が破損し、ウォッシャ液漏れ、制御不能による加熱動作の停止等の事故を生じるおそれがある。  
【０００７】
本願の発明者はこのような問題点を解決すべく種々検討を重ねた結果、ウォッシャ液加熱装置の流路内の圧力が増大したときに、流路の容積を増加させる容積調整機構を設けるようになせば、上記の問題点を解消し得ることを想到し本発明を完成するに至ったものである。すなわち、本発明は、このような問題点を解消することを課題とし、ウォッシャ液を加熱する流路中でウォッシャ液が凍結した場合、流路を形成するケースが破損してしまうことを防止することができるウォッシャ液加熱装置を提供することを目的とするものである。
【課題を解決するための手段】
【０００８】
前記課題を解決するために、本願の請求項１に係る発明は、
ウォッシャ液タンクからウォッシャ液ポンプによってウォッシャ液ノズルに送られるウォッシャ液の流路中に設けられ、該ウォッシャ液を加熱するためのウォッシャ液加熱装置において、
前記ウォッシャ液が通過する流路内の圧力が増大したときに該流路の容積を増加させる容積調整手段を設けてなることを特徴とする。
【０００９】
また、本願の請求項２に係る発明は、請求項１に係るウォッシャ液加熱装置において、  前記容積調整手段は、前記流路の壁に形成した開口と、該開口を塞ぐように設けられ該流路内の圧力増大によって外方に偏倚する偏倚板（例えば下記実施例では、ベロフラム４１４に相当する）とから構成されていることを特徴とする。
【００１０】
また、本願の請求項３に係る発明は、請求項２に係るウォッシャ液加熱装置において、  前記容積調整手段は、前記偏倚板の表面に対向して該偏倚板の偏倚を検出する検出手段を有していることを特徴とする。
【００１１】
また、本願の請求項４に係る発明は、請求項１に係るウォッシャ液加熱装置において、前記容積調整手段は、前記流路内の増大する圧力によって収縮する収縮体（例えば下記実施例では、収縮袋５２８に相当する）から構成されていることを特徴とする。
【００１２】
また、本願の請求項５に係る発明は、請求項１ないし請求項４のいずれか１項に係るウォッシャ液加熱装置において、前記流路を形成する熱伝導率の高い材料からなるケースと、該ケースの表面に接して設けた電力供給によって発熱するヒータと、該ケースの表面に接して設けた該ヒータに供給する電力制御用の制御用素子と、該ヒータと制御用素子とを挟んで該ケース表面に設けた回路基板と、該回路基板上に搭載された該制御用素子を制御する制御回路部とを備えていることを特徴とする。
【発明の効果】
【００１３】
本願発明によれば、流路内のウォッシャ液が凍結しその体積を増したときには、容積調整手段が流路の容積を増加させるので、流路内壁に過大な圧力が加わらない。そのため、流路を形成する壁が破損してウォッシャ液漏れ等を生じる事故を確実に防止することができる。
【図面の簡単な説明】
【００１４】
【図１】本発明の実施例１に係るウォッシャ液供給装置を概略的に示す説明図である。
【図２】図１におけるウォッシャ液加熱装置についてカバーを取外した状態を示す平面図である。
【図３】図１におけるウォッシャ液加熱装置について中央部分を切断して示す断面図である。
【図４】図１におけるウォッシャ液加熱装置について外装ケースを取除き、カバー、容積調整機構等を分解して示す斜視図である。
【図５】図１におけるウォッシャ液加熱装置について外装ケースを取除き、回路基板、ヒータ等を分解して示す斜視図である。
【図６】本発明の実施例１に係るウォッシャ液供給装置の動作を示すフローチャートである。
【図７】本発明の実施例２に係るウォッシャ液供給装置おけるウォッシャ液加熱装置について中央部分を切断した状態を示す平面図である。
【発明を実施するための形態】
【００１５】
以下、本発明の具体例を実施例及び図面を用いて詳細に説明する。但し、以下に示す実施例は、本発明の技術思想を具体化するためのウォッシャ液供給装置を例示するものであって、本発明をこのウォッシャ液供給装置に特定することを意図するものではなく、特許請求の範囲に含まれるその他の実施形態のウォッシャ液供給装置にも等しく適用し得るものである。
【実施例１】
【００１６】
図１は、本発明の実施例１に係るウォッシャ液供給装置を概略的に示す説明図である。  本発明の実施例に係るウォッシャ液供給装置１０は自動車に搭載されており、図１で示すように、ウォッシャ液タンク２０と、ウォッシャ液タンク２０の出口側に配されたウォッシャ液ポンプ３０と、自動車のフロントウィンドウガラスに対向して配されたウォッシャ液ノズル４０と、ウォッシャ液ポンプ３０とウォッシャ液ノズル４０との間に配されたウォッシャ液を加熱するためのウォッシャ液加熱装置５０と、これらウォッシャ液タンク２０、ウォッシャ液ポンプ３０、ウォッシャ液ノズル４０及びウォッシャ液加熱装置５０との間に接続して設けられた管路６０と、ウォッシャ液ポンプ３０とウォッシャ液加熱装置５０とを種々選択的に作動させるための操作を行う操作部７０と、ウォッシャ液加熱装置５０内部の凍結状態、ウォッシャ液供給状態等を表示する表示手段であるＬＥＤなどの表示部８０とから構成されている。
【００１７】
ウォッシャ液加熱装置５０は、図２〜図５で示すように、熱伝導率の高いアルミニウム合金からなる金属製のケース５０１と、ケース５０１の表面に接して設けられたヒータ５０２と、ヒータ５０２の動作を制御するためのマイクロコンピュータを内蔵した制御回路部５０３と、制御回路部５０３を搭載する回路基板５０４と、これらケース５０１、ヒータ５０２、制御回路部５０３及び回路基板５０４を収納する外装ケース５０５と有する。
【００１８】
ケース５０１は全体的に矩形の箱状になっており、一面にカバー５０６が取り付けられて密封状態になっている。図２に示すように、ケース５０１の内部には、仕切り板５０７によって形成された蛇行するウォッシャ液の流路５０８が設けられている。また、ケース５０１には流路５０８の流入口５０９と流出口５１０とが形成されている。更に、流入口５０９はウォッシャ液ポンプ３０と管路６０によって連通され、流出口５１０はウォッシャ液ノズル４０と管路６０によって連通されている。
【００１９】
その結果、ウォッシャ液はウォッシャ液ポンプ３０の作動によって矢印で示すように流入口５０９から流路５０８を通過して流出口５１０へと流れる。一方、ウォッシャ液ポンプ３０が作動を停止すると、ウォッシャ液は流路５０８中に留まった状態になる。
【００２０】
図４に示すように、カバー５０６は流路５０８の壁の一部を構成しており中央部分に開口５１１が形成されている。この開口５１１には容積調整手段である容積調整機構５１２が設けられている。また、カバー５０６とケース５０１との間にはウォッシャ液漏洩防止用のシール５１３が介挿されている。
【００２１】
容積調整機構５１２は、開口５１１を塞ぐベロフラム５１４と、ベロフラムカバー５１５と、シールドリング５１６とからなる。ベロフラム５１４は中央部分が前後に偏倚可能に蛇腹５１７が形成された偏倚板である。ベロフラムカバー５１５は、ベロフラム５１４の中央部分を押さえる押え片５１８を有する押え用カバー５１９と、ベロフラムカバー５１５と押え用カバー５１９をカバー５０６に取付けるための取付けカバー５２０とからなる。この取付けはネジ５２１によって行われるように構成されている。また、押え片５１８はベロフラム５１４が過剰に偏倚されることを制限するための弾性力を有している。
【００２２】
図３に示すように、ベロフラム５１４は、流路４０８の圧力が増大すると外方に偏倚するが、この偏倚した状態を検出する検出手段である検出センサー５２２がベロフラム５１４の外側に配置されている。検出センサー５２２と表示部８０とは接続され、検出センサー５２２の出力が表示部８０によって表示されるようになっている。
【００２３】
ウォッシャ液加熱装置５０におけるヒータ５０２はＰＴＣサーミスターからなる。図５に示すように、このヒータ５０２はケース５０１の外壁にヒータ押え５２３によって２個接した状態で取り付けられている。このヒータ押え５２３は熱伝導率のよいアルミニウムなどの材料によって構成されている。また、ヒータ５０２はＦＥＴ５２４によって供給される電流が制御されている。このＦＥＴ５２４はケース５０１の外壁に直接に接した状態で配置されている。
【００２４】
ケース５０１における流出口５１０に接近した外壁には、出口温度センサー５２５が設けられ、回路基板５０４には外気温度センサー５２６が設けられている。これら出口温度センサー５２５、外気温度センサー５２６の検出出力は制御回路部５０３に供給され、制御回路部５０３がＦＥＴ５２４の動作状態を制御してヒータ５０２の発熱動作を制御するようになっている。
【００２５】
また、ケース５０１のＦＥＴ５２４に接近した外壁には保護センサー５２７が設けられ、ＦＥＴ５２４の温度が異常に高くなったことを検出して制御回路部５０３がヒータ５０２による加熱動作を停止するようになっている。
【００２６】
また、回路基板５０４はケース５０１の表面にヒータ５０２、ＦＥＴ５２４を介して配置されている。この回路基板５０４上には制御回路部５０３が搭載されている。即ち、制御回路部５０３はケース５０１に対してヒータ５０２、ＦＥＴ５２４及び回路基板５０４を介して配置されている。  
【００２７】
次に、上述した実施例１におけるウォッシャ液供給装置１０の動作を説明する。図６は、本発明の実施例１に係るウォッシャ液供給装置の動作を示すフローチャートである。図６に示す動作は制御回路部５０３によるマイコン制御よって実現される。通常、フロントウィンドウガラスを洗浄する場合は、ユーザが自動車のエンジン動作をスタートさせてから操作部７０を操作してウォッシャ液ポンプ３０を作動させ、ウォッシャ液タンク２０内のウォッシャ液をウォッシャ液ノズル４０に供給させる。その結果、ウォッシャ液ノズル４０からウォッシャ液がフロントウィンドウガラスに噴射され、併せてワイパーも作動させることにより洗浄が行なわれる。
【００２８】
ここで、冬季に低温のためにフロントウィンドウガラスに氷が付着している場合は、常温状態のウォッシャ液を噴射しても直ちに洗浄することができないため、清浄のために加熱されたウォッシャ液を用いる。
【００２９】
ユーザはエンジン動作をスタートさせた後に操作部７０からウォッシャ液を加熱する操作を行う。その結果、図６におけるステップＳ１、Ｓ２で示すように、制御回路部５０３はイグニッション信号の発生の有無と、加熱開始の操作スイッチ（ヒートウォッシャスイッチ）のオン、オフ状態を判定する。エンジンがかかることによりイグニッション信号が発生し操作スイッチがオン状態にあると判定された場合は、制御回路部５０３はステップＳ３で示すように外気温度センサー５２６によってエンジンルーム内の温度Ｔ１が８５℃以下であるか否かが判別される。
【００３０】
エンジンルームは外気温度に対して相対的に高温であるのでＴ１が８５℃以下であれば外気温度が低温であってフロントウィンドウガラスに氷が付着する状態にあると判定し、どのくらいウォッシャ液を加熱すべきか判断する。制御回路部５０３はステップＳ４で示すように演算処理によってヒータ５０２に供給する電力を算出しヒータ５０２が起動する制御信号を送出し、ステップＳ５で示すように数秒間ヒータ５０２を起動運転させる。その後、ステップＳ６で示すようにヒータ５０２が定常状態で加熱動作を行なうように制御する。更に、ステップＳ７で示すようにウォッシャ液供給装置がウォッシャ液を加熱して噴射するための準備中にあることが表示部８０に表示される。
【００３１】
次に、ステップＳ８において、出口温度センサー５２５が流路５０８の出口におけるウォッシャ液の温度Ｔ２を測定し、温度Ｔ２が７５℃以上であるか否かを判別する。そして、更にステップＳ９で示すように温度Ｔ２が８５℃以下であるか否かを判別する。即ち、ステップＳ８、Ｓ９においてウォッシャ液の温度Ｔ２が７５℃と８５℃との間にあるか否かを判別する。
【００３２】
噴射されるウォッシャ液が８５℃以上であると火傷、ウォッシャ液の変質等の障害を生じる。一方、ウォッシャ液が７５℃以下であると解凍することが難しくなる。そこで、ウォッシャ液の温度Ｔ２は７５℃以上で８５℃以下に設定されている。
【００３３】
ステップＳ１０で示すように、ウォッシャ液の温度Ｔ２が７５℃〜８５℃にあるとき制御回路部５０３がウォッシャ液ポンプ３０を作動させる。ステップ１１においては、ウォッシャ液供給装置がウォッシャ液ポンプを作動させて運転中にあることが表示部８０に表示される。
【００３４】
次のステップＳ１２において、ユーザによってウォッシャ液供給装置の運転条件が確認されて、操作部７０からウォッシャ液噴射の操作スイッチがオンされると、加熱されたウォッシャ液はウォッシャ液ノズル４０から噴射される。この噴射は一定量のウォッシャ液を噴射すると停止する。ステップ１３においてサイクルを終了するか否かが判別される。一回の噴射を１サイクルとするが、この１サイクルで終了して再び噴射を行なわない場合は、ステップＳ１４で示すように、ウォッシャ液供給装置がウォッシャ液ポンプを停止させて停止中にあることが表示部８０に表示される。そして、ステップＳ１５で示すように、ヒータ５０２による加熱運転を停止する。
【００３５】
サイクル動作を終了せず更に噴射を継続する操作を行うと、この操作はステップＳ１３で継続と判別され、ステップＳ８に戻り、ウォッシャ液が再度噴射されることになる。
【００３６】
なお、ステップＳ８において、流出口５１０のウォッシャ液温度Ｔ２が７０℃以下の場合は、ウォッシャ液ポンプ３０を作動させることなくヒータ５０２による加熱を継続する。その結果、流路５０８内のウォッシャ液は７０℃以上に加熱される。
【００３７】
また、ステップＳ９において、流出口５１０のウォッシャ液温度Ｔ２が８５℃以上の場合は、ウォッシャ液ポンプ３０を作動させることなくステップＳ８に戻る。その結果、流路５０８内の高温になっているウォッシャ液は噴射されない。
【００３８】
外気温度が低下して流路５０８内のウォッシャ液が凍結した場合、凍結したウォッシャ液がその体積を増加させようとする。この体積増加による圧力増大によって容積調整機構５１２を形成するベロフラム５１４は外方に偏倚する。従って、流路５０８の容積が増加し、凍結により増大しようとする流路５０８内の圧力が吸収される。特に、流入口５０９、流出口５１０から離れた流路５０８の中間部分は圧力増大によるケース５０１への影響が大きくなるが、この中間部の容積が増加するので増大しようとする圧力が吸収されてケース５０１内壁に大きな圧力が加わらなくなる。
【００３９】
また、ベロフラム５１４が外方に偏倚したときには、これを検出センサー５２２が検出し、表示部８０においてウォッシャ液が凍結状態にあるとして表示する。
【００４０】
更に、押え片５１８はベロフラム５１４が過大に偏倚することを阻止すると共に、解凍によってベロフラム５１４が原位置に復帰することを円滑にするよう作用する。
【００４１】
尚、容積調整機構５１２を構成する偏倚板はベロフラム５１４に限らず、蛇腹５１７を有しない可撓性部分を有するダイアフラムを適用してもよい。
【００４２】
このような実施例１の発明によれば、流路５０８内のウォッシャ液が凍結してその体積を増したときには、容積調整機構５１２が流路の容積を増加させるので、流路５０８の内壁に過大な圧力が加わらない。そのため、流路５０８を形成する壁が破損してウォッシャ液漏れ等を生じるおそれがなくなる。
【００４３】
また、容積調整機構５１２は、偏倚板であるベロフラム５１４で構成され、その表面に対向してベロフラム５１４の偏倚を検出する検出センサー５２２が設けられている。一方、ウォッシャ液供給装置１０は検出センサー５２２によって検出された流路５０８内の圧力の増大を表示する表示部８０を有している。そのため、流路８０８内のウォッシャ液が凍結してその体積を増したときには、ベロフラム５１４が内圧の増大によって外方に偏倚するので、検出センサー５２２がこれを検出し表示部８０が流路８０８内のウォッシャ液が凍結したことを表示する。従って、ユーザは加熱されたウォッシャ液が得られるまでに時間を要することを確認できる。
【００４４】
また、熱伝導率の高い材料からなるケース５０１の表面には、ヒータ５０２とＦＥＴ５２４とが接して設けられている。そのため、ＦＥＴ５２４は発生する熱がケース５０１によって放熱される。そのため、ＦＥＴ５２４は専用の放熱部材を用意することなく、あるいは通常よりも放熱容量の小さい放熱部材で温度上昇を抑えることができる。
【００４５】
また、回路基板５０４はヒータ５０２とＦＥＴ５２４とを挟んで配置され、この回路基板５０４上には制御回路部５０３が搭載されている。そのため、制御回路部５０３はケース５０１に対して、ヒータ５０２、ＦＥＴ５２４及び回路基板５０４を介して配置されているので、ケース５０１から漏水が発生したときに制御回路部５０３に直接の影響がない。従って、全体の部品を一体化してコンパクトに構成しても装置自体を小型化にしても、制御回路部５０３が漏水によって故障する事故を回避できる。
【実施例２】
【００４６】
図７は、実施例２に係るウォッシャ液供給装置１０におけるウォッシャ液加熱装置５０であって、流路５０８内に容積調整機構５１２を形成する弾性体からなる収縮袋５２８が配置された構成である。具体的には、収縮袋５２８は流路５０８の中間部分に配置されている。そして、収縮袋５２８は流路５０８の圧力が増大すると変形して収縮する内圧を維持するボール状になっている。
【００４７】
この実施例２におけるウォッシャ液供給装置１０によれば、外気温度が低下して流路５０８内のウォッシャ液が凍結した場合、凍結したウォッシャ液がその体積を増加させようとする。この体積増加による圧力増大によって容積調整機構５１２を形成する収縮袋５２８は収縮する。従って、流路５０８の容積が増加し、凍結により増大しようとする流路５０８内の圧力が吸収される。特に、流路５０８の中間部分は圧力増大によるケース５０１への影響が大きくなるが、この中間部において増大しようとする圧力が吸収されてケース５０１内壁に大きな圧力が加わらなくなる。
【００４８】
また、収縮袋５２８は凍結状態にあるウォッシャ液が解凍されて体積を減らすと自然に自ずと膨張して元の形状に復帰する。
【００４９】
即ち、実施例２のウォッシャ液供給装置１０によれば、流路５０８内に収縮袋５２８を設けるだけでウォッシャ液が凍結しときに発生する圧力を吸収することができる。そして、この収縮袋５０８は構成が簡単であるのでコスト的に有利である。
【符号の説明】
【００５０】
１０      ウォッシャ液供給装置
２０      ウォッシャ液タンク
３０      ウォッシャ液ポンプ
４０      ウォッシャ液ノズル
５０      ウォッシャ液加熱装置
６０      管路
７０      操作部
８０      表示部
５０１    ケース
５０２    ヒータ
５０３    制御回路部
５０４    回路基板
５０５    外装ケース
５０６    カバー
５０７    仕切り版
５０８    流路
５０９    流入口
５１０    流出口
５１１    開口
５１２    容積調整機構
５１３    シール
５１４    ベロフラム
５１５    ベロフラムカバー
５１６    シールドリング
５１７    蛇腹
５１８    押え片
５１９    押えカバー
５２０    取付けカバー
５２１    ネジ
５２２    検出センサー
５２３    ヒータ押え
５２４    ＦＥＴ
５２５    出口温度センサー
５２６    外気温度センサー
５２７    保護センサー
５２８    収縮袋
【図１】
2010184525.tif 000003
【図２】
2010184525.tif 000004
【図３】
2010184525.tif 000005
【図４】
2010184525.tif 000006
【図５】
2010184525.tif 000007
【図６】
2010184525.tif 000008
【図７】
2010184525.tif 000009